(57)【要約】【課題】  本考案は、干渉縞（モアレ）を形成する装飾合わせガラスを提供する。【解決手段】  ２枚のガラス板２，３、２枚の縞網シート５，６及び複数の接着剤フィルム７〜１５にて装飾合わせガラス１を構成する。各縞網シート５，６は、線材間隔Ｇを隔てて並列される複数の線材１６，１７を並列し、及び並列した複数の線材１６，１７にて格子縞面１８を形成する。各縞網シート５，６は、格子縞面１８を相対し、各縞網シート５，６間において各線材１６，１７をずらして、各ガラス板２，３間に配置される。各接着剤フィルム７，８，９は、一方のガラス板１及び一方の縞網シート５間に配置される。各接着剤フィルム１０，１１，１２は、他方のガラス板３及び他方の縞網シート６間に配置される。各接着剤フィルム１３，１４，１５は、各縞網シート５，６間に配置される。【選択図】  図１
0003192865.tif 000002
【実用新案登録請求の範囲】
【請求項１】
２枚のガラス板と、
線材間隔を隔てて複数の線材を並列し、及び並列した複数の前記線材にて格子縞面を形成する２枚の縞網シートと、
一方の前記ガラス板及び一方の前記縞網シート間に配置される１又は複数のガラス側・接着剤フィルムと、
他方の前記ガラス板及び他方の前記縞網シート間に配置される１又は複数のガラス側・接着剤フィルムと、
前記各縞網シート間に配置される１又は複数のシート間・接着剤フィルムと、
を備え、
前記各縞網シートは、
前記各格子縞面を相対し、
前記各縞網シート間にて前記線材を相互にずらして、前記各ガラス板間に配置される
ことを特徴とする装飾合わせガラス。
【請求項２】
前記各縞網シートは、
線材間隔を隔てて複数並列される経線材、及び前記経線材に交差し、線材間隔を隔てて複数並列される緯線材にて前記格子縞面を形成する
ことを特徴とする請求項１に記載の装飾合わせガラス。
【請求項３】
前記各縞網シートは、
前記格子縞面に直交する軸回りに前記各格子縞面を相対回転し、
前記各縞網材シート間にて前記経線材を相互にずらし、及び前記各縞網シート間にて前記緯線材を祖互にずらして、前記各ガラス板間に配置される
ことを特徴とする請求項２に記載の装飾合わせガラス。
【考案の詳細な説明】
【技術分野】
【０００１】
本考案は、線材間隔を隔てて複数の線材を並列し、及び並列した複数の線材にて格子縞面を形成する２枚の縞網シートを利用して、干渉縞（モアレ）を形成する装飾合わせガラスに関する。
【背景技術】
【０００２】
干渉縞（モアレ）を生させる合わせガラスの技術として、特許文献１は、型板類似絵付けガラス板を開示する。型板類似絵付けガラス板は、万線又は網点の印刷絵柄を施した透明フィルム２枚を、間にポリブチラールフィルムを介在させ貼り合わせ、更に各透明フィルム両側にポリブチラールフィルムを介してガラス板を積層する。
【先行技術文献】
【特許文献】
【０００３】
【特許文献１】実開昭５９−１２９８４９号公報
【考案の概要】
【考案が解決しようとする課題】
【０００４】
しかし、特許文献１は、２枚の透明シートに施した万線又は網点の印刷絵柄を利用して干渉縞（モアレ）を形成するので、万線等にて生じる干渉縞は平面的となり、質感に劣る。
【０００５】
本考案は、立体的な奥行きがあり、質感に優れた干渉縞（モアレ）を形成できる装飾合わせガラスを提供することにある。
【課題を解決するための手段】
【０００６】
本考案に係る請求項１は、２枚のガラス板と、線材間隔を隔てて複数の線材を並列し、及び並列した複数の前記線材にて格子縞面を形成する２枚の縞網シートと、一方の前記ガラス板及び一方の前記縞網シート間に配置される１又は複数のガラス側・接着剤フィルムと、他方の前記ガラス板及び他方の前記縞網シート間に配置される１又は複数のガラス側・接着剤フィルムと、前記各縞網シート間に配置される１又は複数のシート間・接着剤フィルムと、を備え、前記各縞網シートは、前記各線材面を相対し、前記各縞網シート間にて前記線材を相互にずらして、前記各ガラス板間に配置されることを特徴とする装飾合わせガラスである。
【０００７】
本考案に係る請求項２は、前記各縞網シートは、線材間隔を隔てて複数並列される経線材、及び前記経線材に交差し、線材間隔を隔てて複数並列される緯線材にて前記格子縞面を形成することを特徴とする請求項１に記載の装飾合わせガラスである。
【０００８】
本考案に係る請求項３は、前記各縞網シートは、前記格子縞面に直交する軸回りに前記各格子縞面を相対回転し、前記各縞網シート間にて前記経線材を相互にずらし、及び前記各縞網シート間にて前記緯線材を相互にずらして、前記各ガラス材間に配置されることを特徴とする請求項２に記載の装飾合わせガラスである。
【考案の効果】
【０００９】
本考案に係る請求項１では、各縞網シートは、線材間隔を隔てて複数の線材を並列し、及び並列した複数の線材にて格子縞面を形成する。各縞網シートは、各格子縞面を相対し、及び各縞網シート間にて各線材をずらして各ガラス板間に配置する。また、各縞網シートは、各腰縞面の相互間にシート間・接着剤フィルムを１又は複数配置（介在）することで、各縞網シート間にシート間空間を形成し、各線材は干渉縞（モアレ）を生じる。各線材による干渉縞は、装飾合わせガラスの板厚方向に立体的な奥行きを醸し出し、質感に優れたものとなる。
装飾合わせガラスを住宅等の窓に使用すると、干渉縞（モアレ）にて住宅内を視認できず、プライバシーを保護できる。装飾合わせガラスは、２枚の縞網シートを介在するので、干渉縞（モアレ）の装飾効果を発揮しつつ、破壊し難い合わせガラスにでき、防犯効果も兼ね備える。各接着剤フィルムは、透明又は透光性を有する熱可塑性樹脂フィルムで構成でき、例えば、透明又は透光性を有するエチレンビニルアセテートフィルムを使用できる。
装飾合わせガラスは、各ガラス板両側から圧力を作用し、及び加熱することで、各接着剤フィルム（熱可塑性樹脂フィルム）にて各縞網シート及び各ガラス板を熱圧着する。
本考案に係る請求項１では、シート間・接着剤フィルムの枚数を選択し、各縞網シート間の厚さ（空間）を変更することで、相異する多様な干渉縞（モアレ）を形成できる。
なお、ガラス側・接着剤フィルムは、各ガラス板及び各縞網シート間に配置（介在）される中間膜であって、各ガラス板及び各縞網シート間に中間膜層を形成する。シート間・接着剤フィルムは、各縞網シート間に配置（介在）される中間膜であって、各縞網シート間に中間膜層を形成する。
【００１０】
本考案に係る請求項２は、請求項１の効果に加えて、各縞網シートにおいて、各経線材の線材間隔、及び各緯線材の線材間隔を適宜変更することで、線材間隔に応じて相異する多様な干渉縞（モアレ）を形成できる。
【００１１】
本考案に係る請求項３は、請求項２の効果に加えて、各縞網シートにおいて、各経線材の線材間隔、各緯線材の線材間隔、及び各縞網シートを相対回転する回転量（回転角度）を適宜詮索することで、回転量（回転角度）に応じて相異する多様な干渉縞（モアレ）を形成できる。
【図面の簡単な説明】
【００１２】
【図１】装飾合わせガラスを示す図であって、（ａ）は正面斜視図、（ｂ）は図１（ａ）のＡ−Ａ矢視図である。
【図２】装飾合わせガラスを構成する、各ガラス板、各ガラス側・接着剤フィルム及び各シート間・接着剤フィルムを示す斜視図である。
【図３】各縞網シートを相対回転した際、各縞網シート間にて各経線材をずらし、及び各縞網シート間にて各緯線材をずらした拡大正面図である。
【図４】各縞網シートの経線材及び各緯線材の関係を示す図であって、（ａ）は織布を示す要部拡大図、（ｂ）は各経線材及び各緯線材を一体に連結した要部拡大図である。
【図５】各縞紙シートを各線材方向に相対移動し、各縞網シート間にて各経線材をずらし、及び各縞網シート間にて各緯線材をずらした正面図である。
【考案を実施するための形態】
【００１３】
本考案に係る装飾合わせガラスについて、図１乃至図５を参照して説明する。
【００１４】
図１及び図２において、装飾合わせガラス１は、２枚のガラス板２，３、２枚の縞網シート５，６、複数のガラス側・接着剤フィルム７，８，９、複数のガラス側・接着剤フィルム１０，１１，１２、及び複数のシート間・接着剤フィルム１３，１４，１５を備える。
【００１５】
各ガラス板２，３は、図１及び図２に示すように、装飾合わせガラス１の板厚方向Ｈ（以下、「板厚方向Ｈ」という）に並列される。各ガラス板２，３は、ガラス平面２Ａ，３Ａを相対して平行に配置される。
【００１６】
各縞網シート５，６は、図１乃至図４に示すように、複数の線材を有する。複数の線材は、例えば、複数の経線材１６，１６，…及び複数の緯線材１７，１７，…で構成される。各経線材１６，１６，…は、線材間隔Ｇを隔てて並列される。各緯線材１７，１７，…は、各経線材１６，１６，…に直交（交差）し、線材間隔Ｇを隔てて並列される。
各縞網シート５，６は、各経線材１６，１６，…及び各緯線材１７，１７，…を格子縞に並列し、並列する各経線材１６，１６，…及び並列する各緯線材１７，１７，…にて格子縞面１８を形成する。
【００１７】
各経線材１６，１６，…、及び各緯線材１７，１７，…は、例えば、天燃繊維、化学繊維又は金属繊維を引き揃え、撚りをかけた経糸、緯糸であって、図４（ａ）に示すように、複数の経糸及び複数の緯糸を平織り、綾織り等して各縞網シート５，６（織布）を構成する。
図４（ａ）において、各経糸１６，１６，…は線材間隔Ｇを隔てて並列され、各緯糸１７，１７，…は各経糸１６，１６，…に直交（交差）し、及び線材間隔Ｇを隔てて並列され、各経糸１６，１６，…及び各緯糸１７，１７，…にて格子縞面１８を形成する。
【００１８】
なお、各経線材１６，１６，…及び各緯線材１７，１７，…は、図４（ｂ）に示すように、合成樹脂又は金属（鉄、ステンレス、アルミ、銅等）で線条に形成し、各経線材１６，１６，…及び各緯線材１７，１７，…を一体に連結することで、各縞網シート５，６を構成できる。
図４（ｂ）において、各経線材１６，１６，…は、線条間隔Ｇを隔てて並列し、各緯線材１７，１７，…は各経線材１６，１６，…に直交（交差）し、線材間隔Ｇを隔てて並列され、各経線材１６，１６，…及び各緯線材１７，１７，…にて格子縞面１８を形成する。
【００１９】
各縞網シート５，６は、図１及び図２に示すように、各ガラス板２，３間に配置される。各縞網シート５，６は、格子縞面１８を各ガラス板２，３のガラス平面２Ａ，３Ａに相対して板厚方向Ｈに並列される。各縞網シート５，６は、各格子縞面１８，１８を相対して平行に配置される。なお、各縞網シート５，６は、装飾合わせガラス１の線材層を形成する。
【００２０】
各縞網シート５，６は、図３に示すように、各格子縞面１８に直交する軸ａ回りに各格子縞面１８，１８を相対回転し、各縞網シート５，６間にて各経線材１６，１６をずらし、及び各縞網シート５，６間にて各緯線材１７，１７，…をずらして、各ガラス板２，３間に配置される。
これにより、一方の縞網シート５の各縦線材１６，１６，…、及び他方の縞網シート６の各縦線材１６，１６，…は、図３に示すように、相互間に角度θを持って配置され、一方の縞網シート５の各緯線材１７，１７，…及び他方の縞網シート６の各緯線材１７，１７，…は、相互間に角度θを持って配置される。各線材の相互間の角度θは、例えば、０度を超えて９０度未満とし、この角度θに応じて各縞網シート５，６の相対回転量を決定し、各縞網シート５，６間にて各経線材１６，１６を相互にずらし、及び各縞網シート５，６間にて各緯線材１７，１７を相互にずらす。
【００２１】
各接着剤フィルム７〜１５は、熱可塑性樹脂フィルム、例えば、透明なエチレンビニルアセテートフィルムで構成される。各接着剤フィルム７〜１５は、膜厚ｔ（例えば、ｔ＝０．４ｍｍ）とする。
【００２２】
ガラス側・接着剤フィルム７，８，９は、図１及び図２に示すように、一方のガラス板２及び一方の縞網シート５間に配置される。
各ガラス側・樹脂剤フィルム７，８，９は、板厚方向Ｈに並列される。各ガラス側・接着剤フィルム７，８，９は、フィルム平面７Ａ，８Ａ，９Ａをガラス平面２Ａ及び格子縞面１８に相対して平行に配置される。各ガラス側・接着剤フィルム７，８，９は、一方のガラス板２及び一方の縞網シート５間に配置（介在）される中間膜であって、一方のガラス板２ガラス平面２Ａ及び一方の縞網シート５の格子縞面１８間に中間膜層を形成する。
【００２３】
各ガラス側・接着剤フィルム１０，１１，１２は、図１及び図２に示すように、他方のガラス板３及び他方の縞網シート６間に配置される。
各ガラス側・接着剤フィルム１０，１１，１２は、板厚方向Ｈに並列される。各ガラス側・接着剤フィルム１０，１１，１２は、フィルム平面１０Ａ，１１Ａ，１２Ａをガラス平面３Ａ及び格子縞面１８に相対して平行に配置される。各ガラス側・接着剤フィルム１０，１１，１２は、他方のガラス板３及び他方の縞網シート６間に配置（介在）される中間膜であって、他方のガラス板３のガラス平面３Ａ及び他方の縞網シート６の格子縞面１８間に中間膜層を形成する。
【００２４】
各シート間・接着剤フィルム１３，１４，１５は、図１及び図２に示すように、各縞網シート５，６間に配置される。
各シート間・接着剤フィルム１３，１４，１５は、板厚方向Ｈに並列される。各シート間・接着剤フィルム１３，１４，１５は、フィルム平面１３Ａ，１４Ａ，１５Ａを各格子縞面１８，１８に相対して平行に配置される。各シート間・接着剤フィルム１３，１４，１５は、各縞網シート５，６間に配置（介在）される中間膜（エバ膜）であって、各縞網シート５，６の各格子縞面１８，１８間に中間膜層を形成する。
【００２５】
装飾合わせガラス１は、例えば、各ガラス板２，３及び各縞網シート５，６を熱圧着して製作する。
図１及び図２において、ガラス板２及び縞網シート５間に複数（３枚）のガラス側・接着剤フィルム（中間膜）７，８，９を配置（介在）し、ガラス板３及び縞網シート６間に複数（３枚）のガラス側・接着剤フィルム（中間膜）１０，１１，２１を配置（介在）する。また、各縞網シート５，６間に複数（３枚）のシート間・接着剤フィルム（中間膜）１３，１４，１５を配置（介在）する。
【００２６】
続いて、各ガラス板２，３両側から各ガラス板２，３全体に圧力を掛けつつ加熱する。加熱する温度は、各接着剤フィルム（熱可塑性樹脂フィルム）の融点（エチレンビニルアセテートの融点）である。
各接着剤フィルム（中間膜）７〜１５を溶融すると、ホットメルト接着剤（バインダ）として、各縞網シートの各線材間隔Ｇ内に流入し、及び各経線材１６，１６，…及び各緯線材１７，１７，…に含侵し、各ガラス板２，３及び各縞網シート５，６を祖互に熱圧着する。
【００２７】
このとき、各ガラス板２，３全体に圧力を掛けると、各ガラス板２，３間を真空にして各ガラス板２，３に存在する空気を各ガラス板２，３外側に逃がしつつ各ガラス板２，３、各接着剤フィルム７〜１５及び各縞網シート５，６を密着して熱圧着する。
また、各縞網シート５，６を引張りつつ熱圧着すると、各縞網シート５，６は、各ガラス板２，３間（各接着剤フィルム間）にて皺とならず、各ガラス板２，３間に配置（介在）される。
続いて、溶融した各接着剤フィルム７〜１５（溶融したエチレンビニルアセテート）を冷却固化し、固化した各接着剤フィルム（中間膜）７〜１５にて各ガラス板２，３及び各縞網シート５，６を固定して、装飾合わせガラス１とする。
【００２８】
このように、装飾合わせガラス１において、各縞網シート５，６間は、図１（ｂ）に示すように、シート間板厚Ｔｍとなる。シート間板厚Ｔｍは、シート間・接着剤フィルム１３，１４，１５の膜厚ｔとすると、Ｔｍ≒３×ｔとなる。
また、各ガラス板２，３及び各縞網シート５，６間のガラス側板厚Ｔｇは、図１（ｂ）に示すように、Ｔｇ≒３×ｔとなる。
装飾合わせガラス１は、図１に示すように、各縞網シート５，６を相対回転し、各縞網シート５，６間に複数（３枚）の接着剤フィルム１３，１４，１５（シート間板厚Ｔｍ）を配置（介在）するので、各縞網シート５，６の各経線材１６，１６，…及び各緯線材１７，１７，…はモアレ（干渉縞）を生じて、全体にぼやけて見える［図１（ａ）参照］。
【００２９】
装飾合わせガラス１では、各縞網シート５，６間に３枚の接着剤フィルム１３，１４，１５を配置（介在）した構成について説明したが、これに限定されない。
即ち、装飾合わせガラス１では、各縞網シート５，６間に１枚、２枚、４枚以上のシート間・接着剤フィルム（中間膜）を配置（介在）することで、各縞網シート５，６間のシート間板厚Ｔｍ（シート間空間）を適宜選択する構成も採用できる。
これにより、各縞網シート５，６の各経線材１６，１６，…及び各緯線材１７，１７，…は、シート間板厚Ｔｍ（シート間空間）に応じて相異するモアレ（干渉縞）を生じる。
【００３０】
装飾合わせガラス１は、図５に示すように、各縞網シート５，６の各経線材１６，１６の線材間隔Ｇ、及び各緯線材１７，１７の線材間隔Ｇを相異させて、各縞網シート５，６を各線材方向Ｋ，Ｌに相対移動しても、各経線材１６，１６，…及び各緯線材１７，１７，…は干渉縞（モアレ）を生じる。
【００３１】
図５において、縞網シート５の各経線材１６，１６，…及び各緯線材１７，１７，…は線材間隔Ｇを隔てて格子縞並列し、縞網シート６の各経線材１６，１６，…及び各緯線材１７，１７，…は縞網シート５より大きい線材間隔Ｇ２（例えは、Ｇ２＝２×Ｇ）を隔てて格子縞並列する。各縞網シート５，６は、経線材方向Ｋ及び緯線材方向Ｌに相対移動して、各縞網シート５，６間にて各経線材１６，１６，…を緯線材方向Ｌにずらし、各縞網シート５，６間にて各緯線材１７，１７，…を経線材方向Ｋにずらして配置する。即ち、一方の縞網シート５の各経線材１６，１６，…及び他方の縞網シート６の各経線材１６，１６，…は緯線材方向Ｌに相対的にずれ、一方の縞網シート５の各緯線材１７，１７，…及び他方の縞網シート６の各緯線材１７，１７，…は経線材方向Ｋに相対的にずれる。
【００３２】
このように、装飾合わせガラス１では、各経線材１６，１６，…の線材間隔Ｇ及び各緯線材１７，１７，…の線材間隔Ｇを適宜選択すること、各縞網シート５，６間に配置するシート間・接着剤フィルムの枚数を適宜選択してシート間板厚Ｔｍ（シート間空間）を変更すること、各縞網シート５，６を相対回転する回転量（回転角度）を適宜選択することで、各経線材１６，１６，…及び各緯線材１７，１７，…は相異する多様な干渉縞（モアレ）を生じる。
【産業上の利用可能性】
【００３３】
本考案は、装飾効果として干渉縞（モアレ）を形成する合わせガラスに最適である。
【符号の説明】
【００３４】
１  装飾合わせガラス
２、３  ガラス板
５、６  縞網シート
７，８、９  ガラス側・接着剤フィルム（中間膜）
１０，１１，１２  ガラス側・接着剤フィルム（中間膜）
１３，１４，１５  シート間・接着剤フィルム（中間膜）
【図１】
0003192865.tif 000003
【図２】
0003192865.tif 000004
【図３】
0003192865.tif 000005
【図４】
0003192865.tif 000006
【図５】
0003192865.tif 000007